(57)【要約】【課題】画像形成装置の電源ＯＮに連動して外部コントローラが省エネ状態からの復帰を行うこと。【解決手段】画像形成装置１０に接続された外部コントローラ１は、画像形成装置１０の電源供給部による電源供給を検知して、外部コントローラ１の省エネ制御を行う省エネ制御部６と、外部コントローラ１に搭載された回路に対する電源供給の開始と電源供給の停止とを切り替えるＦＥＴ１７、を備え、省エネ制御部６は、画像形成装置１０に対する電源供給を検知した場合に、回路への電源供給の開始を指示する電源制御信号１８をＦＥＴ１７に送信し、ＦＥＴ１７は、電源制御信号１８を受信した場合に、回路に対する電源供給を開始する。【選択図】        図１
2009043243.tif 000002
【特許請求の範囲】
【請求項１】
画像形成装置と、外部コントローラとがネットワークによって接続された画像形成システムであって、
前記画像形成装置は、
前記画像形成装置に対して電源供給を行う電源供給部を備え、
前記外部コントローラは、
前記画像形成装置の前記電源供給部による電源供給を検知して、前記外部コントローラの省エネルギー制御を行う省エネルギー制御部と、
前記外部コントローラに搭載された回路に対する電源供給の開始と電源供給の停止とを切り替える切替部と、を備え、
前記省エネルギー制御部は、前記画像形成装置に対する前記電源供給を検知した場合に、前記回路への電源供給の開始を指示する電源制御信号を前記切替部に送信し、
前記切替部は、前記電源制御信号を受信した場合に、前記回路に対する電源供給を開始することを特徴とする画像形成システム。
【請求項２】
前記外部コントローラは、
前記画像形成装置に対する前記電源供給を検知した時点から所定時間を計測する計時部を、さらに備え、
前記省エネルギー制御部は、前記画像形成装置に対する前記電源供給を、前記所定時間継続して検知した場合に、前記電源制御信号を前記切替部に送信することを特徴とする請求項１に記載の画像形成システム。
【請求項３】
前記省エネルギー制御部は、前記画像形成装置から、前記画像形成装置に対する電源供給が開始された旨を示す省エネ復帰信号を受信した場合に、前記画像形成装置に対する電源供給を検知したと判断することを特徴とする請求項１に記載の画像形成システム。
【請求項４】
前記外部コントローラは、前記ネットワークの信号のレベル変化を検知するレベル変化検知部、を更に備え、
前記省エネルギー制御部は、前記レベル変化を検知した場合に、前記画像形成装置に対する前記電源供給を検知したと判断することを特徴とする請求項１に記載の画像形成システム。
【請求項５】
前記レベル変化検知部は、前記ネットワークの信号のレベル変化を検知した場合に、前記画像形成装置に対する電源供給が開始された旨を示す省エネ復帰信号を前記省エネルギー制御部に送信し、
前記省エネルギー制御部は、前記省エネ復帰信号を受信した場合に、前記画像形成装置に対する電源供給を検知したと判断することを特徴とする請求項４に記載の画像形成システム。
【請求項６】
前記画像形成装置は、
前記画像形成装置への電源供給に連動して発光する発光部、を備え、
前記外部コントローラは、
前記発光部の発光を検知する発光検知部、をさらに備え、
前記省エネルギー制御部は、前記発光検知部が前記発光部の発光を検知した場合に、前記画像形成装置に対する前記電源供給を検知したと判断することを特徴とする請求項１に記載の画像形成システム。
【請求項７】
前記発光検知部は、前記発光部の発光を検知した場合に、前記画像形成装置に対する電源供給が開始された旨を示す省エネ復帰信号を前記省エネルギー制御部に送信し、
前記省エネルギー制御部は、前記省エネ復帰信号を受信した場合に、前記画像形成装置に対する電源供給を検知したと判断することを特徴とする請求項６に記載の画像形成システム。
【請求項８】
前記外部コントローラは、
電源供給の開始を指示する省エネ復帰信号を生成し、生成した前記省エネ復帰信号を前記省エネ制御部と前記画像形成装置の前記電源供給部とに送信する信号生成部をさらに備え、
前記電源供給部は、前記省エネ復帰信号を受信した場合に、前記画像形成装置に対する電源供給を開始し、
前記省エネルギー制御部は、前記省エネ復帰信号を受信した場合に、前記電源制御信号を前記切替部に送信することを特徴とする請求項１に記載の画像形成システム。
【請求項９】
前記外部コントローラは、
電源供給の開始を指示する省エネ復帰信号を生成し、生成した前記省エネ復帰信号を前記省エネ制御部に送信する信号生成部と、
前記省エネルギー制御部が前記省エネ復帰信号を受信した時点から所定時間を計測する計時部を、さらに備え、
前記省エネルギー制御部は、前記省エネ復帰信号を前記所定時間継続して受信している場合に、前記電源制御信号を前記切替部と前記電源供給部とに送信することを特徴とする請求項１に記載の画像形成システム。
【請求項１０】
前記外部コントローラは、
前記画像形成装置への電源供給の開始を指示する電源供給制御信号を、前記画像形成装置の前記電源供給部に送信する電源供給制御部と、
前記外部コントローラへの電源供給の開始を指示する省エネ復帰信号を生成し、生成した前記省エネ復帰信号を前記省エネルギー制御部と前記電源供給制御部とに送信する信号生成部と、をさらに備え、
前記電源供給制御部は、前記省エネ復帰信号および前記電源制御信号を受信した場合に、前記電源供給制御信号を前記電源供給部に送信し、
前記省エネルギー制御部は、前記省エネ復帰信号を受信した場合に、前記電源制御信号を前記切替部と前記電源供給制御部に送信することを特徴とする請求項１に記載の画像形成システム。
【請求項１１】
前記外部コントローラは、
前記画像形成装置への電源供給の開始を指示する電源供給制御信号を、前記画像形成装置の前記電源供給部に送信する電源供給制御部と、
前記外部コントローラへの電源供給の開始を指示する省エネ復帰信号を生成し、生成した前記省エネ復帰信号を前記省エネルギー制御部に送信する信号生成部と、
前記省エネルギー制御部が前記省エネ復帰信号を受信した時点から所定時間を計測する計時部と、をさらに備え、
前記省エネルギー制御部は、前記省エネ復帰信号を受信した場合に、前記電源制御信号を前記切替部と前記電源供給制御部とに送信し、
前記電源供給制御部は、前記電源制御信号を受信した場合に、前記電源供給制御信号を前記電源供給部に送信することを特徴とする請求項１に記載の画像形成システム。
【請求項１２】
画像形成装置であって、
前記画像形成装置に対して電源供給を行う電源供給部と、
電源供給を開始した場合に、前記画像形成装置に対する電源供給が開始された旨を示す信号を前記外部コントローラに送信する信号送信部と、
を備えたことを特徴とする画像形成装置。
【請求項１３】
前記信号送信部は、電源供給に連動して発光する発光部であり、前記画像形成装置に対する電源供給が開始された旨を示す信号として発光部による光信号を送信することを特徴とする請求項１２に記載の画像形成装置。
【請求項１４】
前記画像形成装置に対する電源供給が開始する旨を示す信号を前記外部コントローラから受信する信号受信部をさらに備えたことを特徴とする請求項１２に記載の画像形成装置。
【請求項１５】
画像形成装置と、外部コントローラとがネットワークによって接続された画像形成システムで実行される省エネルギー復帰方法であって、
前記画像形成装置は、前記画像形成装置に対して電源供給を行う電源供給部を備え、
前記外部コントローラの省エネルギー制御部が、前記画像形成装置の電源供給を検知して、前記外部コントローラの省エネルギー制御を行う省エネルギー制御ステップと、
前記外部コントローラの切替部が、前記外部コントローラに搭載された回路に対する電源供給の開始と電源供給の停止とを切り替える切替ステップと、を含み、
前記省エネルギー制御ステップは、前記画像形成装置に対する前記電源供給を検知した場合に、前記回路への電源供給の開始を指示する電源制御信号を前記切替部に送信し、
前記切替ステップは、前記電源制御信号を受信した場合に、前記回路に対する電源供給を開始することを特徴とする省エネルギー復帰方法。
【請求項１６】
画像形成装置とネットワークによって接続されたコンピュータを、
前記画像形成装置の前記電源供給部による電源供給を検知して、前記コンピュータの省エネルギー制御を行う省エネルギー制御部と、
前記コンピュータに搭載された回路に対する電源供給の開始と電源供給の停止とを切り替える切替部と、して機能させ、
前記省エネルギー制御部は、前記画像形成装置に対する前記電源供給を検知した場合に、前記回路への電源供給の開始を指示する電源制御信号を前記切替部に送信し、
前記切替部は、前記電源制御信号を受信した場合に、前記回路に対する電源供給を開始することを特徴とするプログラム。 
【発明の詳細な説明】
【技術分野】
【０００１】
本発明は、外部コントローラと、画像形成装置とを有する画像形成システム、画像形成装置、省エネルギー復帰方法およびプログラムに関する。
【背景技術】
【０００２】
クライアントの印刷要求を外部コントローラで受け、外部コントローラと、インターフェースで接続された画像形成装置にて印刷、または読取動作を行う画像形成システムにおいて、画像形成装置の電源がＯＦＦ時に外部コントローラを省エネ状態に移行し、画像形成装置の電源ＯＮに連動して外部コントローラが省エネ状態から復帰することによってシステムとしての消費電力の低減と迅速な立ち上げを実現することが望ましい。
【０００３】
しかし、画像形成装置、外部コントローラ間のインターフェースがＥｔｈｅｒｎｅｔ（登録商標）である画像形成システムにおいて、外部コントローラの省エネ移行によりＥｔｈｅｒｎｅｔ回路への電源供給を停止する場合ではＥｔｈｅｒｎｅｔ機能が使用できないため省エネ移行後、画像形成装置の電源ＯＮに連動して外部コントローラを省エネ状態から復帰させることが出来ないという課題がある。
【０００４】
このような課題を解決するために、従来から次のような技術が開示されている。
【０００５】
特許文献１に開示の技術では、プリンタ制御回路内の電源ユニット制御回路のスペクトラム拡散通信回路が配電線を介して情報処理装置ＰＣとデータ通信を行い、電源制御部が通信されたデータの属性に応じて電源回路からプリンタコントローラ部位或いはプリンタエンジン部位への電源供給のＯＮ／ＯＦＦを制御し、通信線や制御線接続における煩わしい手間を省き、更なる接続線を不要とすると共に、画像形成を行わないスタンバイ時の電源オフに相当する消費電力を達成することが可能となる技術が提案されている。
【０００６】
【特許文献１】特開２００３−１６２３９８号公報
【発明の開示】
【発明が解決しようとする課題】
【０００７】
しかしながら、特許文献１に開示の技術では、情報処理装置、画像形成装置の双方の電源が供給されている際の省エネルギー制御についての技術であり、画像形成装置が電源ＯＦＦからの省エネルギー制御を行うことができない。
【０００８】
本発明は、上記に鑑みてなされたものであって、画像形成装置の電源ＯＮに連動して外部コントローラが省エネ状態からの復帰を行うことができる画像形成システム、画像形成装置、省エネルギー復帰方法およびプログラムを提供することを目的とする。
【課題を解決するための手段】
【０００９】
上述した課題を解決し、目的を達成するために、本発明にかかる画像形成システムは、画像形成装置と、外部コントローラとがネットワークによって接続された画像形成システムであって、前記画像形成装置は、前記画像形成装置に対して電源供給を行う電源供給部を備え、前記外部コントローラは、前記画像形成装置の前記電源供給部による電源供給を検知して、前記外部コントローラの省エネルギー制御を行う省エネルギー制御部と、前記外部コントローラに搭載された回路に対する電源供給の開始と電源供給の停止とを切り替える切替部と、を備え、前記省エネルギー制御部は、前記画像形成装置に対する前記電源供給を検知した場合に、前記回路への電源供給の開始を指示する電源制御信号を前記切替部に送信し、前記切替部は、前記電源制御信号を受信した場合に、前記回路に対する電源供給を開始することを特徴とする。
【００１０】
また、本発明にかかる画像形成装置は、前記画像形成装置に対して電源供給を行う電源供給部と、電源供給を開始した場合に、前記画像形成装置に対する電源供給が開始された旨を示す信号を前記外部コントローラに送信する信号送信部と、を備えたことを特徴とする。
【００１１】
また、本発明にかかる省エネルギー復帰方法は、画像形成装置と、外部コントローラとがネットワークによって接続された画像形成システムで実行される省エネルギー復帰方法であって、前記画像形成装置は、前記画像形成装置に対して電源供給を行う電源供給部を備え、前記外部コントローラの省エネルギー制御部が、前記画像形成装置の電源供給を検知して、前記外部コントローラの省エネルギー制御を行う省エネルギー制御ステップと、前記外部コントローラの切替部が、前記外部コントローラに搭載された回路に対する電源供給の開始と電源供給の停止とを切り替える切替ステップと、を含み、前記省エネルギー制御ステップは、前記画像形成装置に対する前記電源供給を検知した場合に、前記回路への電源供給の開始を指示する電源制御信号を前記切替部に送信し、前記切替ステップは、前記電源制御信号を受信した場合に、前記回路に対する電源供給を開始することを特徴とする。
【００１２】
また、本発明にかかるプログラムは、画像形成装置とネットワークによって接続されたコンピュータを、前記画像形成装置の前記電源供給部による電源供給を検知して、前記コンピュータの省エネルギー制御を行う省エネルギー制御部と、前記コンピュータに搭載された回路に対する電源供給の開始と電源供給の停止とを切り替える切替部と、して機能させ、前記省エネルギー制御部は、前記画像形成装置に対する前記電源供給を検知した場合に、前記回路への電源供給の開始を指示する電源制御信号を前記切替部に送信し、前記切替部は、前記電源制御信号を受信した場合に、前記回路に対する電源供給を開始することを特徴とする。
【発明の効果】
【００１３】
本発明によれば、画像形成装置の電源供給に連動して外部コントローラが省エネルギー状態からの復帰を行い、消費電力の低減と迅速な立ち上げを実現することができるという効果を奏する。
【発明を実施するための最良の形態】
【００１４】
以下に添付図面を参照して、この発明にかかる画像形成システム、画像形成装置、省エネルギー復帰方法およびプログラムの最良な実施の形態を詳細に説明する。
【００１５】
（実施の形態１）
実施の形態１に画像形成システムは、外部コントローラ側で電源供給の検知によって、画像形成装置に電源が供給されたことが検知された時、外部コントローラ上の電源供給を停止していた回路へ電源供給を再開することにより、画像形成装置の電源ＯＮに連動して外部コントローラが省エネルギー状態からの復帰を可能とするものである。
【００１６】
図１は、実施の形態１にかかる画像形成システムの構成を示すブロック図である。本実施の形態の画像形成システムは、外部コントローラ１と画像形成装置１０とが、Ｅｔｈｅｒｎｅｔ（登録商標）で接続されている。ここで、外部コントローラ１と画像形成装置１０とは、Ｅｔｈｅｒｎｅｔで接続された構成としているが、これに限定されるものではなく、例えば、ＰＣＩ  ＥｘｐｒｅｓｓやＵＳＢなどの高速インタフェースで接続された構成としてもよい。
【００１７】
外部コントローラ１は、ＣＰＵ２、ＣＰＵ２とシステムバスで接続されるＲＯＭ３、ＲＡＭ４、タイマ５、省エネルギー移行／復帰要因によりＦＥＴ１７のＯＦＦ／ＯＮを制御する省エネ制御部６、Ｅｔｈｅｒｎｅｔ  Ｉ／Ｆ７、Ｅｔｈｅｒｎｅｔ  Ｉ／Ｆ８およびＦＥＴ１７を有する。
【００１８】
また、外部コントローラ１は、図１のクライアントＰＣ９などの外部装置から送信された画像データを画像形成装置１０で印刷可能なデータおよび表示可能なデータに変換する機能を有し、画像情報と、画像信号の相互変換機能を有する。
【００１９】
ＣＰＵ２は、ＲＯＭ３、ＲＡＭ４、タイマ５、省エネ制御部６、Ｅｔｈｅｒｎｅｔ  Ｉ／Ｆ７、Ｅｔｈｅｒｎｅｔ  Ｉ／Ｆ８の各部を統括制御する。
を統括制御する。
【００２０】
タイマ５は、ＣＰＵ２が基板各部を制御する際に利用するタイマ機能を有するものである。
【００２１】
省エネ制御部６は、画像形成装置１０からＨｉｇｈレベルの省エネ復帰信号１９を受信した場合、ＦＥＴ１７のゲートを制御する電源制御信号１８により、ＦＥＴ１７をＯＮし、電源供給が停止された部分への電源供給を開始する。また、省エネ制御部６は、画像形成装置１０からＬｏｗレベルの省エネ復帰信号１９を受信した場合、ＦＥＴ１７のゲートを制御する電源制御信号１８により、ＦＥＴ１７をＯＦＦし、外部コントローラ上の回路への電源供給を停止する。
【００２２】
ここで、省エネ復帰信号１９は、電源供給が停止されていた画像形成装置１０の回路に電源Ｖ０からの電源供給が開始（再開）されたか否かを示す信号である。省エネ復帰信号１９がＨｉｇｈレベルの場合には、電源供給が停止されていた画像形成装置１０の回路に電源Ｖ０からの電源供給が開始（再開）された旨を示している。本実施の形態では、省エネ復帰信号１９は、画像形成装置１０側で、自身に電源供給が再開された場合に生成され、外部コントローラ１に送信される構成となっている。
【００２３】
電源Ｖ１は、省エネ移行時でも電源供給される電源である。電源Ｖ２は、省エネ移行時には電源供給が停止される電源である。
【００２４】
画像形成装置１０は、書き込み部１１、読み取り部１２、ＣＰＵ１３、ＣＰＵ１３とシステムバスで接続されるＲＯＭ１４、ＲＡＭ１５、タイマ１６およびＥｔｈｅｒｎｅｔ  Ｉ／Ｆ３２を有する。ＣＰＵ１３は、これら基板各部１４〜１６、３２を統括制御する。
【００２５】
外部コントローラ１は、クライアントＰＣ９と、Ｅｔｈｅｒｎｅｔ  Ｉ／Ｆ８とで、画像形成装置１０とＥｔｈｅｒｎｅｔ  Ｉ／Ｆ７で接続されている。
【００２６】
ＦＥＴ１７は、外部コントローラ１に搭載された回路に対する電源供給の開始と電源供給の停止とを切り替える。
【００２７】
省エネ制御部６は、電源供給が停止されていた画像形成装置１０の回路に電源Ｖ０からの電源供給が開始（再開）された旨を示すＨｉｇｈレベルの省エネ復帰信号１９を受信することにより画像形成装置１０の電源供給を検知し、外部コントローラ１の省エネルギー制御を行う。
【００２８】
省エネ復帰信号１９は、画像形成装置１０から外部コントローラ１へ画像形成装置１０の電源Ｖ０と連動して電源ＯＮ時には、Ｈｉｇｈレベル、電源ＯＦＦ時には、Ｌｏｗレベルとなり、画像形成装置１０から外部コントローラ１の省エネ制御部６に送信される。
【００２９】
すなわち、省エネ制御部６は、画像形成装置１０から、Ｈｉｇｈレベルの省エネ復帰信号１９を受信した場合に、外部コントローラ１上の回路への電源供給の開始を指示するＯＮの電源制御信号１８をＦＥＴ１７に送信し、ＦＥＴ１７をＯＮ制御する。ＦＥＴ１７は、このＯＮの電源制御信号１８を受信した場合に、ＯＮ状態となり、Ｅｔｈｅｒｎｅｔ  Ｉ／Ｆ７など外部コントローラ１上の回路に対する電源供給を開始する。
【００３０】
一方、画像形成装置１０の電源がＯＦＦとなった場合、Ｌｏｗレベルの省エネ復帰信号１９が省エネ制御部６に送信される。このＬｏｗレベルの省エネ復帰信号１９を受信した省エネ制御部６は、ＯＦＦを指示する電源制御信号１８をＦＥＴ１７に送信し、ＦＥＴ１７をＯＦＦ制御する。これによりＦＥＴ１７がＯＦＦ状態となり、Ｅｔｈｅｒｎｅｔ  Ｉ／Ｆ７など外部コントローラ１上の回路への電源供給が停止する。
【００３１】
次に、以上のように構成された実施の形態１の画像形成システムによる省エネ復帰処理について説明する。図２は、実施の形態１の省エネ復帰処理の手順を示すフローチャートである。
【００３２】
画像形成装置１０の電源がＯＦＦ状態の時、省エネ制御部６は、電源制御信号１８によりＦＥＴ１７をＯＦＦ制御する。この状態では、Ｅｔｈｅｒｎｅｔ  Ｉ／Ｆ７への電源供給が停止された状態である。省エネ復帰処理は、このＥｔｈｅｒｎｅｔ  Ｉ／Ｆ７への電源供給が停止された状態からの立ち上げ処理である。
【００３３】
外部コントローラ１においてＥｔｈｅｒｎｅｔ  Ｉ／Ｆ７への電源供給が停止された状態で、省エネ制御部６は、画像形成装置１０に電源供給が開始された旨を示すＨｉｇｈレベルの省エネ復帰信号１９の受信待ち状態となっている（ステップＳ１１）。
【００３４】
外部コントローラ１のＥｔｈｅｒｎｅｔ  Ｉ／Ｆ７への電源供給が停止された状態から、画像形成装置１０の電源Ｖ０がＯＮされると、画像形成装置１０の電源Ｖ０が立ち上がり、画像形成装置１０は、省エネ復帰信号１９を、ＬｏｗレベルからＨｉｇｈレベルに立ち上げて外部コントローラ１に送信する。
【００３５】
省エネ制御部６は、このＨｉｇｈレベルの省エネ復帰信号１９を受信すると（ステップＳ１１：Ｙｅｓ）、画像形成装置１０に電源供給されたと判断する。そして、省エネ制御部６は、電源制御信号１８をＯＮに設定して、ＦＥＴ１７に出力する（ステップＳ１２）。ＯＮの電源制御信号１８を受信したＦＥＴ１７は、ＯＮ状態となって電源供給が停止されていたＥｔｈｅｒｎｅｔ  Ｉ／Ｆ７等の外部コントローラ１上の回路へ電源を供給する。これにより、外部コントローラ１は、省エネ状態から復帰される。
【００３６】
なお、ステップＳ１１において、Ｈｉｇｈレベルの省エネ復帰信号を受信しない間は（ステップＳ１１：Ｎｏ）、次の処理は実行されない。
【００３７】
このように本実施の形態によれば、電源供給検知により画像形成装置１０に電源が供給されたことが検知された時、外部コントローラ１上の電源供給を停止していた回路へ電源供給を再開するので、画像形成装置１０の電源ＯＮに連動して外部コントローラ１が省エネ状態からの復帰を行うことができる。
【００３８】
（実施の形態２）
実施の形態２の画像形成システムは、以下の機能を実現する。すなわち、画像形成装置１０の電源ＯＮ後、Ｅｔｈｅｒｎｅｔのリンクのためネゴシエーションが行われるが、このときＥｔｈｅｒｎｅｔ上の信号のレベルが変化する。外部コントローラ１では、Ｅｔｈｅｒｎｅｔ上の信号のレベル変化を検知して、外部コントローラ上の電源供給を停止していた回路へ電源供給を再開する。これにより、画像形成装置１０の電源ＯＮに連動して外部コントローラ１が省エネルギー状態から復帰することができる。
【００３９】
図３は、実施の形態２にかかる画像形成システムの構成を示すブロック図である。本実施の形態の画像形成システムは、実施の形態１と同様に、外部コントローラ３００と画像形成装置１０とが、Ｅｔｈｅｒｎｅｔ（登録商標）で接続されている。なお、画像形成装置１０の構成は実施の形態１と同様である。
【００４０】
外部コントローラ３００は、ＣＰＵ２、レベル変化検知部２１、ＣＰＵ２とシステムバスで接続されるＲＯＭ３、ＲＡＭ４、タイマ５、省エネルギー移行／復帰要因によりＦＥＴ１７のＯＦＦ／ＯＮを制御する省エネ制御部３０６、Ｅｔｈｅｒｎｅｔ  Ｉ／Ｆ７、Ｅｔｈｅｒｎｅｔ  Ｉ／Ｆ８およびＦＥＴ１７を有する。ここで、ＣＰＵ２、ＲＯＭ３、ＲＡＭ４、タイマ５、Ｅｔｈｅｒｎｅｔ  Ｉ／Ｆ７、Ｅｔｈｅｒｎｅｔ  Ｉ／Ｆ８およびＦＥＴ１７については実施の形態１と同様である。
【００４１】
レベル変化検知部２１は、Ｅｔｈｅｒｎｅｔ  Ｉ／Ｆ３２と、Ｅｔｈｅｒｎｅｔ  Ｉ／Ｆ７間を送受信される信号レベルの変化を検知する。具体的には、レベル変化検知部２１は、Ｅｔｈｅｒｎｅｔの受信信号（ＲＸ＋−）を監視する。そして、レベル変化検知部２１は、画像形成装置１０の電源ＯＮ後にＥｔｈｅｒｎｅｔ  Ｉ／Ｆ３２とＥｔｈｅｒｎｅｔ  Ｉ／Ｆ７間で行われるリンクのネゴシエーションによる信号レベルの変化を検知する。そして、レベル変化検知部２１は、ネゴシエーションによる信号のレベル変化を検知した場合、省エネ制御部３０６に対してＨｉｇｈレベルに立ち上げた省エネ復帰信号１９を送信する。
【００４２】
省エネ制御部３０６は、Ｈｉｇｈレベルの省エネ復帰信号１９を受信した場合、Ｅｔｈｅｒｎｅｔ  Ｉ／Ｆ３２とＥｔｈｅｒｎｅｔ  Ｉ／Ｆ７間の信号レベルが変化した、すなわち、画像形成装置１０に電源供給がなされたと判断する。そして、省エネ制御部３０６は、外部コントローラ３００上の回路への電源供給の開始を指示するＯＮの電源制御信号１８をＦＥＴ１７に送信し、ＦＥＴ１７をＯＮ制御する。ＦＥＴ１７は、実施の形態１と同様に、ＯＮの電源制御信号１８を受信した場合に、ＯＮ状態となり、Ｅｔｈｅｒｎｅｔ  Ｉ／Ｆ７など外部コントローラ３００上の回路に対する電源供給を開始する。
【００４３】
次に、以上のように構成された実施の形態２の画像形成システムによる省エネ復帰処理について説明する。図４は、実施の形態２の省エネ復帰処理の手順を示すフローチャートである。
【００４４】
画像形成装置１０の電源がＯＦＦ状態の時、省エネ制御部３０６は、電源制御信号１８によりＦＥＴ１７をＯＦＦ制御する。この状態では、Ｅｔｈｅｒｎｅｔ  Ｉ／Ｆ７への電源供給が停止された状態である。省エネ復帰処理は、このＥｔｈｅｒｎｅｔ  Ｉ／Ｆ７への電源供給が停止された状態からの立ち上げ処理である。
【００４５】
画像形成装置１０の電源がＯＮされると、画像形成装置１０のＥｔｈｅｒｎｅｔ  Ｉ／Ｆ３２と、外部コントローラ３００のＥｔｈｅｒｎｅｔ  Ｉ／Ｆ７との間でリンクのネゴシエーションが開始される。レベル変化検知部２１は、両Ｅｔｈｅｒｎｅｔ  Ｉ／Ｆ間で送受信される信号を監視している（ステップＳ２１）。そして、ネゴシエーションにより、両Ｅｔｈｅｒｎｅｔ  Ｉ／Ｆ間で送受信される信号のレベルが変化すると、レベル変化検知部２１は、このネゴシエーションによる信号のレベル変化を検知する（ステップＳ２２：Ｙｅｓ）。そして、レベル変化検知部２１は、省エネ復帰信号１９をＨｉｇｈレベルに立ち上げて省エネ制御部３０６に出力する（ステップＳ２３）。ここで、ステップＳ２２において、信号のレベル変化を検知しない間は（ステップＳ２２：Ｎｏ）、次の処理は実行されない。
【００４６】
外部コントローラ３００においてＥｔｈｅｒｎｅｔ  Ｉ／Ｆ７への電源供給が停止された状態で、省エネ制御部３０６は、画像形成装置１０に電源供給が開始された旨を示すＨｉｇｈレベルの省エネ復帰信号１９の受信待ち状態となっている（ステップＳ２４）。省エネ制御部３０６は、レベル変化検知部２１からＨｉｇｈレベルの省エネ復帰信号１９を受信すると（ステップＳ２４：Ｙｅｓ）、画像形成装置１０に電源供給されたと判断する。
【００４７】
そして、省エネ制御部３０６は、電源制御信号１８をＯＮに設定して、ＦＥＴ１７に出力する（ステップＳ２５）。ＯＮの電源制御信号１８を受信したＦＥＴ１７は、ＯＮ状態となって電源供給が停止されていたＥｔｈｅｒｎｅｔ  Ｉ／Ｆ７等の外部コントローラ３００上の回路へ電源を供給する。これにより、外部コントローラ３００は、省エネ状態から復帰される。
【００４８】
このように実施の形態２によれば、画像形成装置１０の電源ＯＮ後、Ｅｔｈｅｒｎｅｔのリンクのためネゴシエーションが行われ、Ｅｔｈｅｒｎｅｔ上の信号のレベルが変化する。外部コントローラ３００では、この信号のレベル変化を検知した場合に、画像形成装置１０に電源供給が開始（再開）されたと判断して、外部コントローラ３００上の電源供給を停止していた回路へ電源供給を再開する。このため、本実施の形態によれば、画像形成装置１０の電源ＯＮに連動して外部コントローラ３００が省エネルギー状態からの復帰を可能とすることが出来る。
【００４９】
（実施の形態３）
実施の形態１および２では、画像形成装置１０側で自身に電源供給された旨を示すＨｉｇｈレベルの省エネ復帰信号１９を生成して外部コントローラ１，３００に送信していた。この実施の形態３では、省エネ復帰信号の生成を外部コントローラ側で行い、省エネルギー復帰信号が生成されて検知された場合、画像形成装置１０の電源供給を開始することにより、画像形成装置の電源ＯＮに連動して外部コントローラが省エネルギー状態からの復帰を可能とする。
【００５０】
図５は、実施の形態３にかかる画像形成システムの構成を示すブロック図である。本実施の形態の画像形成システムは、実施の形態１と同様に、外部コントローラ５００と画像形成装置５１０とが、Ｅｔｈｅｒｎｅｔ（登録商標）で接続されている。
【００５１】
画像形成装置５１０は、書き込み部１１、読み取り部１２、ＣＰＵ１３、ＣＰＵ１３とシステムバスで接続されるＲＯＭ１４、ＲＯＭ１４、ＲＡＭ１５、タイマ１６、Ｅｔｈｅｒｎｅｔ  Ｉ／Ｆ３２、およびＰＳＵ（Ｐｏｗｅｒ  Ｓｕｐｐｌｙ  Ｕｎｉｔ：電源供給部）２４を有する。ここで、書き込み部１１、読み取り部１２、ＣＰＵ１３、ＲＡＭ１５、タイマ１６およびＥｔｈｅｒｎｅｔ  Ｉ／Ｆ３２については実施の形態１と同様である。
【００５２】
ＰＳＵ２４は、ＡＣ／ＤＣコンバータ２６（以下、「ＡＣ／ＤＣ２６」という。）、リレー２７、ＡＣ電源２５（図５では「ＡＣ２５」と示している。）を備えている。このＰＳＵ２４は、ＡＣ電源２５をＡＣ／ＤＣ２６によって交流から直流に変換し、リレー２７により切替えによって、画像形成装置５１０上の各回路に電源供給を行ったり、電源供給を停止する。
【００５３】
外部コントローラ５００は、ＣＰＵ２、ＣＰＵ２とシステムバスで接続されるＲＯＭ３、ＲＡＭ４、タイマ５、省エネルギー移行／復帰要因によりＦＥＴ１７のＯＦＦ／ＯＮを制御する省エネ制御部５０６、Ｅｔｈｅｒｎｅｔ  Ｉ／Ｆ７、Ｅｔｈｅｒｎｅｔ  Ｉ／Ｆ８およびＦＥＴ１７、スイッチ２３を有する。ここで、ＣＰＵ２、ＲＯＭ３、ＲＡＭ４、タイマ５、Ｅｔｈｅｒｎｅｔ  Ｉ／Ｆ７、Ｅｔｈｅｒｎｅｔ  Ｉ／Ｆ８およびＦＥＴ１７については実施の形態１と同様である。
【００５４】
スイッチ２３および電源Ｖ１は、省エネ復帰信号を生成する。具体的には、スイッチ２３をＯＮとすることにより、電源Ｖ１からＨｉｇｈレベルとなる省エネ復帰信号１９が生成される。また、スイッチ２３をＯＦＦとすることにより、省エネ復帰信号１９は、Ｌｏｗレベルとなって生成される。
【００５５】
省エネ制御部５０６は、スイッチ２３からＨｉｇｈレベルの省エネ復帰信号１９を受信した場合、ＦＥＴ１７のゲートを制御する電源制御信号１８により、ＦＥＴ１７をＯＮ制御し、電源供給が停止された部分への電源供給を開始させる。また、省エネ制御部５０６は、スイッチ２３からＬｏｗレベルの省エネ復帰信号１９を受信した場合、ＦＥＴ１７のゲートを制御する電源制御信号１８により、ＦＥＴ１７をＯＦＦ制御し、外部コントローラ上の回路への電源供給を停止させる。本実施の形態では、省エネ復帰信号１９は、外部コントローラ５００側で生成される。
【００５６】
また、スイッチ２３は、画像形成装置５１０のＰＳＵ２４のリレー２７に接続されている。このため、省エネ復帰信号１９は、スイッチ２３からリレー２７へも送信される。省エネ復帰信号１９がＨｉｇｈレベルの時、リレー２７はＯＮとなり、画像形成装置５１０に電源が供給される。省エネ復帰信号１９がＬｏｗレベルの時、リレー２７はＯＦＦとなり、画像形成装置５１０への電源供給は、停止される。
【００５７】
次に、以上のように構成された実施の形態３の画像形成システムによる省エネ復帰処理について説明する。図６は、実施の形態３の省エネ復帰処理の手順を示すフローチャートである。
【００５８】
画像形成装置５１０の電源がＯＦＦ状態の時、省エネ制御部５０６は、電源制御信号１８によりＦＥＴ１７をＯＦＦ制御する。この状態では、Ｅｔｈｅｒｎｅｔ  Ｉ／Ｆ７への電源供給が停止された状態である。省エネ復帰処理は、このＥｔｈｅｒｎｅｔ  Ｉ／Ｆ７への電源供給が停止された状態からの立ち上げ処理である。
【００５９】
スイッチ２３が押下されると、スイッチ２３はＯＮになり（ステップＳ３１：Ｙｅｓ）、省エネ復帰信号１９はＨｉｇｈレベルとなって、省エネ制御部５０６と画像形成装置５１０のＰＳＵ２４のリレー２７に送信される（ステップＳ３２）。
【００６０】
画像形成装置５１０では、Ｈｉｇｈレベルの省エネ復帰信号１９によりリレー２７がＯＮとなり、ＰＳＵ２４により画像形成装置５１０に電源が供給される。
【００６１】
一方、省エネ制御部５０６は、省エネ復帰信号１９のＨｉｇｈレベルを検知すると（ステップＳ３３：Ｙｅｓ）、画像形成装置５１０に電源供給がされたと判断する。
【００６２】
そして、省エネ制御部５０６は、電源制御信号１８をＯＮに設定して、ＦＥＴ１７に出力する（ステップＳ３４）。ＯＮの電源制御信号１８を受信したＦＥＴ１７は、ＯＮ状態となって電源供給が停止されていたＥｔｈｅｒｎｅｔ  Ｉ／Ｆ７等の外部コントローラ５００上の回路へ電源を供給する。これにより、外部コントローラ５００は、省エネ状態から復帰される。
【００６３】
このように本実施の形態によれば、外部コントローラ５００側で省エネ復帰信号１９の生成し、これによって画像形成装置５１０の電源供給を指示して、画像形成装置５１０の電源の供給を開始するので、画像形成装置５１０の電源ＯＮに連動して外部コントローラ５００が省エネ状態からの復帰を可能とすることが出来る。
【００６４】
（実施の形態４）
実施の形態４では、画像形成装置の電源ＯＮと連動してＬＥＤが発光することを検知し、外部コントローラ上の電源供給を停止していた回路へ電源供給を再開することにより、画像形成装置の電源ＯＮに連動して外部コントローラが省エネルギー状態からの復帰を可能とする。
【００６５】
図７は、実施の形態４にかかる画像形成システムの構成を示すブロック図である。本実施の形態の画像形成システムは、実施の形態１と同様に、外部コントローラ７００と画像形成装置７１０とが、Ｅｔｈｅｒｎｅｔ（登録商標）で接続されている。なお、画像形成装置７１０の構成は実施の形態１と同様である。
【００６６】
画像形成装置７１０は、書き込み部１１、読み取り部１２、ＣＰＵ１３、ＣＰＵ１３とシステムバスで接続されるＲＯＭ１４、ＲＡＭ１５、タイマ１６、Ｅｔｈｅｒｎｅｔ  Ｉ／Ｆ３２、およびＬＥＤ３０を有する。ここで、書き込み部１１、読み取り部１２、ＣＰＵ１３、ＲＯＭ１４、ＲＡＭ１５、タイマ１６およびＥｔｈｅｒｎｅｔ  Ｉ／Ｆ３２については実施の形態１と同様である。
【００６７】
ＬＥＤ３０は、電源Ｖ０が立ち上がって電源供給が開始されると、それに連動して発光する。
【００６８】
外部コントローラ７００は、ＣＰＵ２、ＣＰＵ２とシステムバスで接続されるＲＯＭ３、ＲＡＭ４、タイマ５、光センサ２９、省エネルギー移行／復帰要因によりＦＥＴ１７のＯＦＦ／ＯＮを制御する省エネ制御部７０６、Ｅｔｈｅｒｎｅｔ  Ｉ／Ｆ７、Ｅｔｈｅｒｎｅｔ  Ｉ／Ｆ８およびＦＥＴ１７を有する。ここで、ＣＰＵ２、ＲＯＭ３、ＲＡＭ４、タイマ５、Ｅｔｈｅｒｎｅｔ  Ｉ／Ｆ７、Ｅｔｈｅｒｎｅｔ  Ｉ／Ｆ８およびＦＥＴ１７については実施の形態１と同様である。
【００６９】
光センサ２９は、ＬＥＤ３０の発光（光信号）を検知した場合に、省エネ復帰信号１９を省エネ制御部７０６に出力する。一方、光センサ２９は、ＬＥＤ３０の発光を検知していない場合は、Ｌｏｗレベルの省エネ復帰信号１９を出力する。
【００７０】
省エネ制御部７０６は、光センサ２９からＨｉｇｈレベルの省エネ復帰信号１９を受信した場合、ＦＥＴ１７のゲートを制御する電源制御信号１８により、ＦＥＴ１７をＯＮ制御し、電源供給が停止された部分への電源供給を開始する。また、省エネ制御部７０６は、光センサ２９からＬｏｗレベルの省エネ復帰信号１９を受信した場合、ＦＥＴ１７のゲートを制御する電源制御信号１８により、ＦＥＴ１７をＯＦＦ制御し、外部コントローラ７００上の回路への電源供給を停止させる。
【００７１】
次に、以上のように構成された実施の形態４の画像形成システムによる省エネ復帰処理について説明する。図８は、実施の形態４の省エネ復帰処理の手順を示すフローチャートである。
【００７２】
画像形成装置７１０の電源がＯＦＦ状態の時、省エネ制御部５０６は、電源制御信号１８によりＦＥＴ１７をＯＦＦ制御する。この状態では、Ｅｔｈｅｒｎｅｔ  Ｉ／Ｆ７への電源供給が停止された状態である。省エネ復帰処理は、このＥｔｈｅｒｎｅｔ  Ｉ／Ｆ７への電源供給が停止された状態からの立ち上げ処理である。
【００７３】
Ｅｔｈｅｒｎｅｔ  Ｉ／Ｆ７への電源供給が停止された状態より、画像形成装置７１０の電源がＯＮとなると、電源Ｖ０が立ち上がり、ＬＥＤ３０が発光する。
【００７４】
外部コントローラ７００の光センサ２９は、この発光を検知すると（ステップＳ４１：Ｙｅｓ）、光センサ２９は、省エネ復帰信号１９をＨｉｇｈレベルとして、省エネ制御部７０６に出力する（ステップＳ４２）。
【００７５】
省エネ制御部７０６は、省エネ復帰信号１９のＨｉｇｈレベルを検知すると（ステップＳ４３：Ｙｅｓ）、画像形成装置７１０に電源供給がされたと判断する。
【００７６】
そして、省エネ制御部７０６は、電源制御信号１８をＯＮに設定して、ＦＥＴ１７に出力する（ステップＳ４４）。ＯＮの電源制御信号１８を受信したＦＥＴ１７は、ＯＮ状態となって電源供給が停止されていたＥｔｈｅｒｎｅｔ  Ｉ／Ｆ７等の外部コントローラ７００上の回路へ電源を供給する。これにより、外部コントローラ７００は、省エネ状態から復帰される。
【００７７】
このように本実施の形態によれば、画像形成装置７１０の電源ＯＮと連動して発光するＬＥＤ３０の発光を外部コントローラ７００で検知し、外部コントローラ７００上の電源供給を停止していた回路へ電源供給を再開するので、画像形成装置７１０の電源ＯＮに連動して外部コントローラ７００が省エネ状態からの復帰を可能とすることが出来る。
【００７８】
（実施の形態５）
実施の形態５は、実施の形態１の画像形成システムにおいて、さらに、電源供給の検知により画像形成装置に電源が供給されていることが一定時間以上継続した場合に、外部コントローラ上の電源供給を停止していた回路へ電源供給を再開する事によって、ノイズによる誤検知を防止するものである。
【００７９】
図９は、実施の形態５にかかる画像形成システムの構成を示すブロック図である。本実施の形態の画像形成システムは、実施の形態１と同様に、外部コントローラ９００と画像形成装置１０とが、Ｅｔｈｅｒｎｅｔ（登録商標）で接続されている。なお、画像形成装置１０の構成は実施の形態１と同様である。
【００８０】
外部コントローラ９００は、ＣＰＵ２、ＣＰＵ２とシステムバスで接続されるＲＯＭ３、ＲＡＭ４、タイマ９０５、省エネルギー移行／復帰要因によりＦＥＴ１７のＯＦＦ／ＯＮを制御する省エネ制御部９０６、Ｅｔｈｅｒｎｅｔ  Ｉ／Ｆ７、Ｅｔｈｅｒｎｅｔ  Ｉ／Ｆ８およびＦＥＴ１７を有する。ここで、ＣＰＵ２、ＲＯＭ３、ＲＡＭ４、Ｅｔｈｅｒｎｅｔ  Ｉ／Ｆ７、Ｅｔｈｅｒｎｅｔ  Ｉ／Ｆ８およびＦＥＴ１７については実施の形態１と同様である。
【００８１】
タイマ９０５は、実施の形態１と同様に、例えば、基板各部を同期させるためのタイミングをカウントする。本実施の形態では、タイマ９０５は、さらに、ＣＰＵ２の指令を受けて、省エネ復帰信号１９を省エネ制御部９０６が受信した時点から時間の計測を行う。
【００８２】
省エネ制御部９０６は、画像形成装置１０からＨｉｇｈレベルの省エネ復帰信号１９を受信した場合、その受信時点からタイマ９０５により計測された一定時間継続して、Ｈｉｇｈレベルの省エネ復帰信号１９が検知されているか否か（Ｈｉｇｈレベルの省エネ復帰信号１９を一定時間継続して受信しているか否か）を判断する。そして、省エネ制御部９０６は、一定時間継続して、Ｈｉｇｈレベルの省エネ復帰信号１９が検知されている場合に、外部コントローラ９００上の回路への電源供給の開始を指示するＯＮの電源制御信号１８をＦＥＴ１７に送信し、ＦＥＴ１７をＯＮ制御する。省エネ制御部９０６は、一定時間継続して、Ｈｉｇｈレベルの省エネ復帰信号１９が検知されなかった場合には、ＦＥＴ１７に対してＯＮの電源制御信号１８の送信は行わない。ここで、一定時間は予め定められた時間であり、任意に定めることができる。
【００８３】
次に、以上のように構成された実施の形態５の画像形成システムによる省エネ復帰処理について説明する。図１０は、実施の形態５の省エネ復帰処理の手順を示すフローチャートである。
【００８４】
画像形成装置１０の電源がＯＦＦ状態の時、省エネ制御部９０６は、電源制御信号１８によりＦＥＴ１７をＯＦＦ制御する。この状態では、Ｅｔｈｅｒｎｅｔ  Ｉ／Ｆ７への電源供給が停止された状態である。省エネ復帰処理は、このＥｔｈｅｒｎｅｔ  Ｉ／Ｆ７への電源供給が停止された状態からの立ち上げ処理である。
【００８５】
外部コントローラ９００においてＥｔｈｅｒｎｅｔ  Ｉ／Ｆ７への電源供給が停止された状態で、省エネ制御部９０６は、画像形成装置１０に電源供給が開始された旨を示すＨｉｇｈレベルの省エネ復帰信号１９の受信待ち状態となっている（ステップＳ５１）。
【００８６】
外部コントローラ９００のＥｔｈｅｒｎｅｔ  Ｉ／Ｆ７への電源供給が停止された状態から、画像形成装置１０の電源Ｖ０がＯＮされると、画像形成装置１０の電源Ｖ０が立ち上がり、画像形成装置１０は、省エネ復帰信号１９を、ＬｏｗレベルからＨｉｇｈレベルに立ち上げて外部コントローラ９００に送信する。
【００８７】
省エネ制御部９０６は、このＨｉｇｈレベルの省エネ復帰信号１９を受信すると（ステップＳ５１：Ｙｅｓ）、画像形成装置１０に電源供給されたと判断する。そして、タイマ９０５は時間計測を開始し、省エネ制御部９０６は、一定時間継続して、Ｈｉｇｈレベルの省エネ復帰信号１９を受信しているか否かを判断する（ステップＳ５２）。
【００８８】
そして、一定時間継続してＨｉｇｈレベルの省エネ復帰信号１９を受信しなかった場合には（ステップＳ５２：Ｎｏ）、ステップＳ５１に戻り、再び省エネ制御部９０６は省エネ復帰信号１９の受信待ち状態となる。
【００８９】
一方、ステップＳ５２で一定時間継続してＨｉｇｈレベルの省エネ復帰信号１９を受信した場合には（ステップＳ５２：Ｙｅｓ）、省エネ制御部９０６は、電源制御信号１８をＯＮに設定して、ＦＥＴ１７に出力する（ステップＳ５３）。ＯＮの電源制御信号１８を受信したＦＥＴ１７は、ＯＮ状態となって電源供給が停止されていたＥｔｈｅｒｎｅｔ  Ｉ／Ｆ７等の外部コントローラ９００上の回路へ電源を供給する。これにより、外部コントローラ９００は、省エネ状態から復帰される。
【００９０】
このように本実施の形態では、画像形成装置１０に電源供給がされていることを一定時間継続して検知した場合にのみ、外部コントローラ９００上の電源供給を停止していた回路へ電源供給を再開するので、電源供給検知の際に、ノイズによる誤検知を防止することが出来る。
【００９１】
（実施の形態６）
実施の形態６では、実施の形態３の画像形成システムにおいて、さらに、省エネ復帰信号の受信が一定時間以上継続した場合にのみ、画像形成装置に対して電源供給を開始することにより、ノイズによる誤検知を防止する。
【００９２】
図１１は、実施の形態６にかかる画像形成システムの構成を示すブロック図である。本実施の形態の画像形成システムは、実施の形態１と同様に、外部コントローラ１１００と画像形成装置５１０とが、Ｅｔｈｅｒｎｅｔ（登録商標）で接続されている。ここで、画像形成装置５１０の構成は実施の形態３と同様である。
【００９３】
外部コントローラ１１００は、ＣＰＵ２、ＣＰＵ２とシステムバスで接続されるＲＯＭ３、ＲＡＭ４、タイマ９０５、省エネルギー移行／復帰要因によりＦＥＴ１７のＯＦＦ／ＯＮを制御する省エネ制御部１１０６、Ｅｔｈｅｒｎｅｔ  Ｉ／Ｆ７、Ｅｔｈｅｒｎｅｔ  Ｉ／Ｆ８およびＦＥＴ１７、スイッチ２３を有する。ここで、ＣＰＵ２、ＲＯＭ３、ＲＡＭ４、スイッチ２３、Ｅｔｈｅｒｎｅｔ  Ｉ／Ｆ７、Ｅｔｈｅｒｎｅｔ  Ｉ／Ｆ８およびＦＥＴ１７については実施の形態３と同様である。本実施の形態でも、実施の形態３と同様に、省エネ復帰信号１９は、外部コントローラ１１００側で生成される。
【００９４】
タイマ９０５は、実施の形態１、３と同様に、例えば、基板各部を同期させるためのタイミングをカウントする。本実施の形態では、タイマ９０５は、実施の形態５と同様に、さらに、ＣＰＵ２の指令を受けて、省エネ復帰信号１９を省エネ制御部１１０６が受信した時点から時間の計測を行う。
【００９５】
省エネ制御部１１０６は、スイッチ２３からＨｉｇｈレベルの省エネ復帰信号１９を受信した場合、その受信時点からタイマ９０５により計測された一定時間継続して、Ｈｉｇｈレベルの省エネ復帰信号１９が検知されているか否か（Ｈｉｇｈレベルの省エネ復帰信号１９を一定時間継続して受信しているか否か）を判断する。そして、省エネ制御部１１０６は、一定時間継続して、Ｈｉｇｈレベルの省エネ復帰信号１９が検知されている場合に、外部コントローラ１１００上の回路への電源供給の開始を指示するＯＮの電源制御信号１８をＦＥＴ１７に送信し、ＦＥＴ１７をＯＮ制御する。また、これと同時に、省エネ制御部１１０６は、ＯＮの電源制御信号１８を画像形成装置５１９のＰＳＵ２４の中のリレー２７に送信し、リレー２７をＯＮ状態にさせる。
【００９６】
一方、省エネ制御部１１０６は、一定時間継続して、Ｈｉｇｈレベルの省エネ復帰信号１９が検知されなかった場合には、上記の処理は行われない。
【００９７】
次に、以上のように構成された実施の形態６の画像形成システムによる省エネ復帰処理について説明する。図１２は、実施の形態６の省エネ復帰処理の手順を示すフローチャートである。
【００９８】
画像形成装置５１０の電源がＯＦＦ状態の時、省エネ制御部１１０６は、電源制御信号１８によりＦＥＴ１７をＯＦＦ制御する。この状態では、Ｅｔｈｅｒｎｅｔ  Ｉ／Ｆ７への電源供給が停止された状態である。省エネ復帰処理は、このＥｔｈｅｒｎｅｔ  Ｉ／Ｆ７への電源供給が停止された状態からの立ち上げ処理である。
【００９９】
スイッチ２３が押下されると、スイッチ２３はＯＮになり（ステップＳ６１：Ｙｅｓ）、省エネ復帰信号１９はＨｉｇｈレベルとなって、省エネ制御部１１０６に送信される（ステップＳ６２）。
【０１００】
省エネ制御部１１０６が省エネ復帰信号１９のＨｉｇｈレベルを検知すると（ステップＳ６３：Ｙｅｓ）、タイマ９０５が時間計測を開始し、省エネ制御部１１０６は、一定時間継続して、Ｈｉｇｈレベルの省エネ復帰信号１９を受信しているか否かを判断する（ステップＳ６４）。
【０１０１】
そして、一定時間継続してＨｉｇｈレベルの省エネ復帰信号１９を受信しなかった場合には（ステップＳ６４：Ｎｏ）、ステップＳ６３に戻り、再び省エネ制御部１１０６は省エネ復帰信号１９の受信待ち状態となる。
【０１０２】
一方、ステップＳ６４で一定時間継続してＨｉｇｈレベルの省エネ復帰信号１９を受信した場合には（ステップＳ６４：Ｙｅｓ）、省エネ制御部１１０６は、電源制御信号１８をＯＮに設定して、ＦＥＴ１７および画像形成装置５１０のリレー２７に出力する（ステップＳ６５）。ＯＮの電源制御信号１８を受信したＦＥＴ１７は、ＯＮ状態となって電源供給が停止されていたＥｔｈｅｒｎｅｔ  Ｉ／Ｆ７等の外部コントローラ１１００上の回路へ電源を供給する。これにより、外部コントローラ１１００は、省エネ状態から復帰される。
【０１０３】
さらに、画像形成装置５１０では、ＯＮの電源制御信号１８を受信してリレー２７がＯＮとなり、ＰＳＵ２４により画像形成装置５１０に電源が供給される。
【０１０４】
このように本実施の形態によれば、省エネ制御部１１０６で省エネ復帰信号の出力が一定時間以上継続して受信した場合にのみ、外部コントローラ１１００上の電源供給を停止していた回路へ電源供給を再開するとともに、画像形成装置５１０の電源の供給を開始するので、省エネ復帰信号検知の際にノイズによる誤検知を防止することが出来る。
【０１０５】
（実施の形態７）
実施の形態７では、省エネルギー復帰信号の生成を検知され、かつ、外部コントローラ上の電源供給を停止していた回路へ電源供給を再開させたことを検知した場合のみ画像形成装置の電源の供給を開始する事によって、ノイズによる誤検知を防止する。
【０１０６】
図１３は、実施の形態７にかかる画像形成システムの構成を示すブロック図である。本実施の形態の画像形成システムは、実施の形態１と同様に、外部コントローラ１３００と画像形成装置５１０とが、Ｅｔｈｅｒｎｅｔ（登録商標）で接続されている。ここで、画像形成装置５１０の構成は実施の形態３と同様である。
【０１０７】
外部コントローラ１３００は、ＣＰＵ２、ＣＰＵ２とシステムバスで接続されるＲＯＭ３、ＲＡＭ４、タイマ５、省エネルギー移行／復帰要因によりＦＥＴ１７のＯＦＦ／ＯＮを制御する省エネ制御部１３０６、Ｅｔｈｅｒｎｅｔ  Ｉ／Ｆ７、Ｅｔｈｅｒｎｅｔ  Ｉ／Ｆ８およびＦＥＴ１７、スイッチ２３、ＰＳＵ制御部３１を有する。ここで、ＣＰＵ２、ＲＯＭ３、ＲＡＭ４、スイッチ２３、Ｅｔｈｅｒｎｅｔ  Ｉ／Ｆ７、Ｅｔｈｅｒｎｅｔ  Ｉ／Ｆ８およびＦＥＴ１７については実施の形態３と同様である。また、タイマ５については実施の形態１と同様である。本実施の形態でも、実施の形態３と同様に、省エネ復帰信号１９は、外部コントローラ１３００側で生成される。
【０１０８】
省エネ制御部１３０６は、スイッチ２３からＨｉｇｈレベルの省エネ復帰信号１９を受信した場合、ＦＥＴ１７のゲートを制御する電源制御信号１８により、ＦＥＴ１７をＯＮ制御し、電源供給が停止された部分への電源供給を開始させる。省エネ制御部１３０６から出力されたＯＮの電源制御信号１８は分岐して、ＰＳＵ制御部３１にも出力される。また、省エネ制御部１３０６は、スイッチ２３からＬｏｗレベルの省エネ復帰信号１９を受信した場合、ＦＥＴ１７のゲートを制御する電源制御信号１８により、ＦＥＴ１７をＯＦＦ制御し、外部コントローラ１３００上の回路への電源供給を停止させる。
【０１０９】
ＰＳＵ制御部３１は、省エネ制御部１３０６からＯＮの電源制御信号１８を受信することより、Ｖ２電源が供給される。ＰＳＵ制御部３１は、画像形成装置５１０のＰＳＵ２４、具体的には、ＰＳＵ２４内のリレー２７に接続されている。ＰＳＵ制御部３１は、省エネ制御部１３０６からＨｉｇｈレベルの省エネ復帰信号１９を受信し、かつ電源Ｖ２の供給がされた場合（すなわち、省エネ制御部１３０６からＯＮの電源制御信号１８を受信した場合）にのみ、ＰＳＵ制御信号３３をＨｉｇｈレベルに立ち上げて、リレー２７に送信する。これ以外の条件ではＰＳＵ制御信号３３はＬｏｗレベルとなる。
【０１１０】
画像形成装置５１０では、ＰＳＵ制御信号３３がＨｉｇｈレベルの場合に、リレー２７はＯＮとなり、画像形成装置５１０に電源が供給される。ＰＳＵ制御信号３３がＬｏｗレベルの時、画像形成装置５１０への電源の供給が停止される。
【０１１１】
次に、以上のように構成された実施の形態７の画像形成システムによる省エネ復帰処理について説明する。図１４は、実施の形態７の省エネ復帰処理の手順を示すフローチャートである。
【０１１２】
画像形成装置５１０の電源がＯＦＦ状態の時、省エネ制御部１３０６は、電源制御信号１８によりＦＥＴ１７をＯＦＦ制御する。この状態では、Ｅｔｈｅｒｎｅｔ  Ｉ／Ｆ７への電源供給が停止された状態である。省エネ復帰処理は、このＥｔｈｅｒｎｅｔ  Ｉ／Ｆ７への電源供給が停止された状態からの立ち上げ処理である。
【０１１３】
スイッチ２３が押下されると、スイッチ２３はＯＮになり（ステップＳ７１：Ｙｅｓ）、省エネ復帰信号１９はＨｉｇｈレベルとなって、省エネ制御部１３０６とＰＳＵ制御部３１に送信される（ステップＳ７２）。
【０１１４】
省エネ制御部１３０６は、省エネ復帰信号１９のＨｉｇｈレベルを検知すると（ステップＳ７３：Ｙｅｓ）、電源制御信号１８をＯＮに設定して、ＦＥＴ１７およびＰＳＵ制御部３１に出力する（ステップＳ７４）。ＯＮの電源制御信号１８を受信したＦＥＴ１７は、ＯＮ状態となって電源供給が停止されていたＥｔｈｅｒｎｅｔ  Ｉ／Ｆ７等の外部コントローラ１３００上の回路へ電源を供給する。これにより、外部コントローラ１３００は、省エネ状態から復帰される。
【０１１５】
一方、ＰＳＵ制御部３１は、Ｈｉｇｈレベルの省エネ復帰信号１９を受信したか、かつ、ＯＮの電源制御信号１８を受信することより電源Ｖ２が供給されたか否かを判断する（ステップＳ７５）。そして、ステップＳ７２によりＨｉｇｈレベルの省エネ復帰信号１９を受信し、かつ、ステップＳ７４により電源Ｖ２が供給された場合に（ステップＳ７５：Ｙｅｓ）、ＨｉｇｈレベルのＰＳＵ制御信号３３をＰＳＵ２４のリレー２７に送信する（ステップＳ７６）。これにより、画像形成装置５１０では、リレー２７がＯＮとなり、ＰＳＵ２４により画像形成装置５１０に電源が供給される。
【０１１６】
このように本実施の形態では、省エネルギー復帰信号の生成を検知され、かつ、外部コントローラ上の電源供給を停止していた回路へ電源供給を再開させたことを検知した場合のみ画像形成装置の電源の供給を開始する事によって、ノイズによる誤検知を防止する。
【０１１７】
（実施の形態８）
実施の形態８でも、省エネルギー復帰信号の生成を検知され、かつ、外部コントローラ上の電源供給を停止していた回路へ電源供給を再開させたことを検知した場合のみ画像形成装置の電源の供給を開始する事によって、ノイズによる誤検知を防止する。
【０１１８】
図１５は、実施の形態８にかかる画像形成システムの構成を示すブロック図である。本実施の形態の画像形成システムは、実施の形態１と同様に、外部コントローラ１５００と画像形成装置５１０とが、Ｅｔｈｅｒｎｅｔ（登録商標）で接続されている。ここで、画像形成装置５１０の構成は実施の形態３と同様である。
【０１１９】
外部コントローラ１５００は、ＣＰＵ２、ＣＰＵ２とシステムバスで接続されるＲＯＭ３、ＲＡＭ４、タイマ９０５、省エネルギー移行／復帰要因によりＦＥＴ１７のＯＦＦ／ＯＮを制御する省エネ制御部１５０６、Ｅｔｈｅｒｎｅｔ  Ｉ／Ｆ７、Ｅｔｈｅｒｎｅｔ  Ｉ／Ｆ８およびＦＥＴ１７、スイッチ２３、ＰＳＵ制御部１５３１を有する。ここで、ＣＰＵ２、ＲＯＭ３、ＲＡＭ４、スイッチ２３、Ｅｔｈｅｒｎｅｔ  Ｉ／Ｆ７、Ｅｔｈｅｒｎｅｔ  Ｉ／Ｆ８およびＦＥＴ１７については実施の形態７と同様である。また、タイマ９０５については実施の形態５と同様である。本実施の形態でも、実施の形態３と同様に、省エネ復帰信号１９は、外部コントローラ１５００側で生成される。
【０１２０】
省エネ制御部１５０６は、スイッチ２３からＨｉｇｈレベルの省エネ復帰信号１９を受信した場合、その受信時点からタイマ９０５で計測された一定時間継続して省エネ復帰信号１９を受信しているか否かを判断する。そして、省エネ制御部１５０６は、省エネ制御部１５０６は、一定時間継続して省エネ復帰信号１９を受信している場合に、ＦＥＴ１７のゲートを制御する電源制御信号１８により、ＦＥＴ１７をＯＮ制御し、電源供給が停止された部分への電源供給を開始させる。また、省エネ制御部１５０６から送信されたＯＮの電源制御信号１８は、分岐してＰＳＵ制御部１５３１にも出力される。
【０１２１】
ＰＳＵ制御部１５３１は、ＯＮの電源制御信号を受信することによりＶ２電源が供給される。ＰＳＵ制御部１５３１は、画像形成装置５１０のＰＳＵ２４、具体的には、ＰＳＵ２４内のリレー２７に接続されている。ＰＳＵ制御部１５３１は、電源Ｖ２の供給がされた場合にのみ、ＰＳＵ制御信号３３をＨｉｇｈレベルに立ち上げて、リレー２７に送信する。これ以外の条件ではＰＳＵ制御信号３３はＬｏｗレベルとなる。
【０１２２】
画像形成装置５１０では、ＰＳＵ制御信号３３がＨｉｇｈレベルの場合に、リレー２７はＯＮとなり、画像形成装置５１０に電源が供給される。ＰＳＵ制御信号３３がＬｏｗレベルの時、画像形成装置５１０への電源の供給が停止される。
【０１２３】
次に、以上のように構成された実施の形態８の画像形成システムによる省エネ復帰処理について説明する。図１６は、実施の形態８の省エネ復帰処理の手順を示すフローチャートである。
【０１２４】
画像形成装置５１０の電源がＯＦＦ状態の時、省エネ制御部１５０６は、電源制御信号１８によりＦＥＴ１７をＯＦＦ制御する。この状態では、Ｅｔｈｅｒｎｅｔ  Ｉ／Ｆ７への電源供給が停止された状態である。省エネ復帰処理は、このＥｔｈｅｒｎｅｔ  Ｉ／Ｆ７への電源供給が停止された状態からの立ち上げ処理である。
【０１２５】
スイッチ２３が押下されると、スイッチ２３はＯＮになり（ステップＳ８１：Ｙｅｓ）、省エネ復帰信号１９はＨｉｇｈレベルとなって、省エネ制御部１５０６に送信される（ステップＳ８２）。
【０１２６】
省エネ制御部１５０６は、省エネ復帰信号１９のＨｉｇｈレベルを検知すると（ステップＳ８３：Ｙｅｓ）、タイマ９０５は時間計測を開始し、省エネ制御部１５０６は、一定時間継続して、Ｈｉｇｈレベルの省エネ復帰信号１９を受信しているか否かを判断する（ステップＳ８４）。
【０１２７】
そして、一定時間継続してＨｉｇｈレベルの省エネ復帰信号１９を受信しなかった場合には（ステップＳ８４：Ｎｏ）、ステップＳ８３に戻り、再び省エネ制御部１５０６は省エネ復帰信号１９の受信待ち状態となる。
【０１２８】
一方、ステップＳ８４で一定時間継続してＨｉｇｈレベルの省エネ復帰信号１９を受信した場合には（ステップＳ８４：Ｙｅｓ）、省エネ制御部１５０６は、電源制御信号１８をＯＮに設定して、ＦＥＴ１７とＰＳＵ制御部１５３１に出力する（ステップＳ８５）。ＯＮの電源制御信号１８を受信したＦＥＴ１７は、ＯＮ状態となって電源供給が停止されていたＥｔｈｅｒｎｅｔ  Ｉ／Ｆ７等の外部コントローラ１５００上の回路へ電源を供給する。これにより、外部コントローラ１５００は、省エネ状態から復帰される。
【０１２９】
一方、ＰＳＵ制御部１５３１は、ＯＮの電源制御信号１８を受信することにより電源Ｖ２が供給されたか否かを判断している（ステップＳ８６）。そして、ステップＳ８５により電源Ｖ２が供給された場合に（ステップＳ８６：Ｙｅｓ）、ＨｉｇｈレベルのＰＳＵ制御信号３３をＰＳＵ２４のリレー２７に送信する（ステップＳ８７）。これにより、画像形成装置５１０では、リレー２７がＯＮとなり、ＰＳＵ２４により画像形成装置５１０に電源が供給される。
【０１３０】
このように本実施の形態では、省エネルギー復帰信号の生成を検知され、かつ、外部コントローラ上の電源供給を停止していた回路へ電源供給を再開させたことを検知した場合のみ画像形成装置の電源の供給を開始する事によって、ノイズによる誤検知を防止する。
【０１３１】
なお、実施の形態１〜８の外部コントローラで実行される省エネ復帰プログラムは、ＲＯＭ等に予め組み込まれて提供される。
【０１３２】
実施の形態１〜８の外部コントローラで実行される省エネ復帰プログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録して提供するように構成してもよい。
【０１３３】
さらに、実施の形態１〜８の外部コントローラで実行される省エネ復帰プログラムを、インターネット等のネットワークに接続されたコンピュータ上に格納し、ネットワーク経由でダウンロードさせることにより提供するように構成しても良い。また、実施の形態１〜８の外部コントローラで実行される省エネ復帰プログラムをインターネット等のネットワーク経由で提供または配布するように構成しても良い。
【０１３４】
実施の形態１〜８の外部コントローラで実行される省エネ復帰プログラムは、上述した各部を含むモジュール構成となっており、実際のハードウェアとしてはＣＰＵ（プロセッサ）が上記ＲＯＭから省エネ復帰プログラムを読み出して実行することにより上記各部が主記憶装置上にロードされ、上記各部が主記憶装置上に生成されるようになっている。
【０１３５】
なお、本発明は、上記実施の形態そのままに限定されるものではなく、実施段階ではその要旨を逸脱しない範囲で構成要素を変形して具体化することができる。また、上記実施の形態に開示されている複数の構成要素の適宜な組み合わせにより、種々の発明を形成することができる。例えば、実施の形態に示される全構成要素からいくつかの構成要素を削除してもよい。さらに、異なる実施の形態にわたる構成要素を適宜組み合わせても良い。
【図面の簡単な説明】
【０１３６】
【図１】実施の形態１にかかる画像形成システムの構成を示すブロック図である。
【図２】実施の形態１の省エネ復帰処理の手順を示すフローチャートである。
【図３】実施の形態２にかかる画像形成システムの構成を示すブロック図である。
【図４】実施の形態２の省エネ復帰処理の手順を示すフローチャートである。
【図５】実施の形態３にかかる画像形成システムの構成を示すブロック図である。
【図６】実施の形態３の省エネ復帰処理の手順を示すフローチャートである。
【図７】実施の形態４にかかる画像形成システムの構成を示すブロック図である。
【図８】実施の形態４の省エネ復帰処理の手順を示すフローチャートである。
【図９】実施の形態５にかかる画像形成システムの構成を示すブロック図である。
【図１０】実施の形態５の省エネ復帰処理の手順を示すフローチャートである。
【図１１】実施の形態６にかかる画像形成システムの構成を示すブロック図である。
【図１２】実施の形態６の省エネ復帰処理の手順を示すフローチャートである。
【図１３】実施の形態７にかかる画像形成システムの構成を示すブロック図である。
【図１４】実施の形態７の省エネ復帰処理の手順を示すフローチャートである。
【図１５】実施の形態８にかかる画像形成システムの構成を示すブロック図である。
【図１６】実施の形態８の省エネ復帰処理の手順を示すフローチャートである。
【符号の説明】
【０１３７】
１，３００，５００，７００，９００，１１００，１３００，１５００  外部コントローラ
５，９０５  タイマ
６，３０６，５０６，９０６，１１０６，１３０６，１５０６  省エネ制御部
１０，５１０，７１０  画像形成装置
１１  書き込み部
１６  タイマ
１８  電源制御信号
１９  省エネ復帰信号
２１  レベル変化検知部
２３  スイッチ
２６  ＡＣ／ＤＣコンバータ
２７  リレー
２９  光センサ
３１，１５３１  ＰＳＵ制御部
３３  ＰＳＵ制御信号
【図１】
2009043243.tif 000003
【図２】
2009043243.tif 000004
【図３】
2009043243.tif 000005
【図４】
2009043243.tif 000006
【図５】
2009043243.tif 000007
【図６】
2009043243.tif 000008
【図７】
2009043243.tif 000009
【図８】
2009043243.tif 000010
【図９】
2009043243.tif 000011
【図１０】
2009043243.tif 000012
【図１１】
2009043243.tif 000013
【図１２】
2009043243.tif 000014
【図１３】
2009043243.tif 000015
【図１４】
2009043243.tif 000016
【図１５】
2009043243.tif 000017
【図１６】
2009043243.tif 000018